(57)【要約】【課題】複数種の飲料を、容器内に層状、例えば、上層が通常のビール、下層が黒ビールになるように、簡単且つ迅速に供給することができる飲料の積層状態を形成方法を提供することを目的とする。【解決手段】容器１に第１の飲料Ａを供給して第１の層１０を形成し、その後、第１の層１０の下方に第１の飲料Ａより比重が重い第２の飲料Ｂを供給して第２の層２０を形成し、第２の層２０の上に第１の層１０を積層して、飲料の積層状態を形成する。【選択図】図１
2017196117.tif 000002
【特許請求の範囲】
【請求項１】
容器に第１の飲料を供給して第１の層を形成し、その後、前記第１の層の下方に前記第１の飲料より比重が重い第２の飲料を供給して第２の層を形成し、前記第２の層の上に前記第１の層を積層するように形成する
ことを特徴とする飲料の積層形成方法。
【請求項２】
前記第１の層の下方に前記第１の飲料より比重が重い第２の飲料を供給して第２の層を形成する手段は、飲料の供給器具であり、
前記飲料の供給器具は、飲料を受け入れる本体と、該本体に連通し、前記飲料を案内する長手方向に長い案内通路とを備え、前記案内通路の先端が第１の層の下方に位置している
ことを特徴とする請求項１記載の飲料の積層形成方法。
【請求項３】
前記第１の層の下方に前記第１の飲料より比重が重い第２の飲料を供給して第２の層を形成する手段は、飲料の供給器具であり、
前記飲料の供給器具は、飲料を受け入れる本体と、該本体に連通し、前記飲料を案内する長手方向に長い案内通路と、容器の開口縁部に係止するフックとを備え、前記案内通路の先端が第１の層の下方に位置している
ことを特徴とする請求項１記載の飲料の積層形成方法。
【発明の詳細な説明】
【技術分野】
【０００１】
本発明は、複数種の飲料を、容器内に層状、例えば、上層が通常のビール、下層が黒ビールになるように供給することができる飲料の積層形成方法に係り、特に、簡易且つ迅速に飲料の積層状態を形成することができる飲料の積層形成方法に関する。
【背景技術】
【０００２】
従来、複数種の飲料を、容器内に層状、例えば、上層（第２飲料）が通常のビール、下層（第１飲料）が黒ビールになるように供給する「層構造を形成した飲料の容器内分配を行うための冶具」が公知である（例えば、特許文献１参照）。
前記特許文献１記載の「層構造を形成した飲料の容器内分配を行うための冶具」は、外周壁と細孔多孔板からなる冶具底部とからなる冶具容器部と、該冶具容器部を容器の上部に載置するための支持部とからなり、前記細孔多孔板が、第２飲料を、容器内に先に注入された第１飲料の上面に、連続する液滴或いは微細流により供給させるための細孔を設けてなるものである。そして、前記「層構造を形成した飲料の容器内分配を行うための冶具」を使用して、容器内に先に注入された第１飲料の上面に、前記細孔多孔板を通して、第２飲料を連続する液滴或いは微細流により、乱流・攪拌を抑制しながら、層状になるように供給している。
【先行技術文献】
【特許文献】
【０００３】
【特許文献１】特許第５４１４１３５号公報
【発明の概要】
【発明が解決しようとする課題】
【０００４】
しかしながら、前記特許文献１記載の「層構造を形成した飲料の容器内分配を行うための冶具」にあっては、第１飲料の上面に、細孔多孔板を通して、第２飲料を連続する液滴、或いは微細流により、乱流・攪拌を抑制しながら、層状になるように供給するため、複数層の飲料を迅速に形成することができないという問題点があった。
【０００５】
本発明は、前記問題点を考慮してなされたもので、容易且つ迅速に飲料の積層形成方法を提供することを目的とする。
【課題を解決するための手段】
【０００６】
請求項１記載の飲料の積層形成方法は、容器に第１の飲料を供給して第１の層を形成し、その後、前記第１の層の下方に前記第１の飲料より比重が重い第２の飲料を供給して第２の層を形成し、前記第２の層の上に前記第１の層を積層するように形成するものである。
【０００７】
請求項２記載の飲料の積層形成方法は、請求項１記載の飲料の積層形成方法において、前記第１の層の下方に前記第１の飲料より比重が重い第２の飲料を供給して第２の層を形成する手段は、飲料の供給器具であり、前記飲料の供給器具は、飲料を受け入れる本体と、この本体に連通し、前記飲料を案内する長手方向に長い案内通路とを備え、前記案内通路の先端が第１の層の下方に位置しているものである。
【０００８】
請求項３記載の飲料の積層形成方法は、請求項１記載の飲料の積層形成方法において、前記第１の層の下方に前記第１の飲料より比重が重い第２の飲料を供給して第２の層を形成する手段は、飲料の供給器具であり、前記飲料の供給器具は、飲料を受け入れる本体と、この本体に連通し、前記飲料を案内する長手方向に長い案内通路と、容器の開口縁部に係止するフックとを備え、前記案内通路の先端が第１の層の下方に位置しているものである。
【発明の効果】
【０００９】
請求項１記載の飲料の積層形成方法によれば、容器に第１の飲料を供給して第１の層を形成し、その後、前記第１の層の下方に前記第１の飲料より比重が重い第２の飲料を供給して第２の層を形成するため、従来の方法に比べ、簡易且つ迅速に飲料の積層状態を形成することができる。
【００１０】
請求項２・３記載の飲料の積層形成方法によれば、案内通路の先端が第１の層の下方に位置しているため、容器に第１の飲料を供給して第１の層を形成し、その後、前記第１の層の下方に前記第１の飲料より比重が重い第２の飲料を供給して第２の層を形成することができ、従来の方法に比べ、簡易且つ迅速に飲料の積層状態を形成することができ、更にフックが容器の開口縁部に係止すれば、容器の開口縁部の大きさに影響を受けずに、飲料の積層状態を形成することができる。
【図面の簡単な説明】
【００１１】
【図１】本発明の飲料の積層形成方法に使用する飲料の供給器具の一実施例を示す斜視図である。
【図２】図２（ａ）は図１の断面図であり、図２（ｂ）は、図２（ａ）の一部を拡大して示す一部拡大断面図である。
【図３】図３は、図１の飲料の供給器具を使用する飲料の積層形成方法を示す図で、図３（ａ）は、容器に第１の飲料を供給して第１の層を形成した状態を示す斜視図であり、図３（ｂ）は、図３（ａ）の第１の層の下方に第１の飲料より比重が重い第２の飲料を供給して第２の層を形成した状態を示す斜視図である。
【実施例】
【００１２】
本発明の飲料の積層形成方法の一実施例を図面（図１乃至図３）を参照して説明する。
図１に示すＫは、飲料の積層形成方法に使用する飲料の供給器具で、飲料の供給器具Ｋは、容器１に第１の飲料Ａを供給して第１の層１０を形成し、その後、第１の層１０の下方に第１の飲料Ａより比重が重い第２の飲料Ｂを供給して第２の層２０を形成する器具である。
【００１３】
前記飲料の供給器具Ｋは、飲料を受け入れる本体Ｋ１と、該本体Ｋ１に連通し、前記飲料を案内する長手方向に長い案内通路（例えば、ストロー）Ｋ２と、容器１の開口縁部１１に係止するフックＫ３とを備えている。前記案内通路（例えば、ストロー）Ｋ２は、例えば、本体Ｋ１の中央開口部Ｋ１ａに連通し、本体Ｋ１に対して着脱自在に形成されている。
なお、図１に示すＫ４は取っ手、Ｋ５は側方に張り出す張り出し部、Ｋ６は接続部である。また、本実施例にあっては、案内通路Ｋ２は、具体的には、接続部Ｋ６に対して着脱自在に形成されているが（図２参照）、本発明にあっては、これに限らず、案内通路Ｋ２は接続部Ｋ６と一体的に形成されていても良い。
【００１４】
前記構成よりなる本発明の作用について説明する。先ず、図３（ａ）に示すように、容器１に第１の飲料Ａ、例えば、コーヒーを供給して第１の層１０を形成する。その後、図３（ｂ）に示すように、第１の層１０の下方に第１の飲料Ａより比重が重い第２の飲料Ｂ、例えば、ミルクを供給して第２の層２０を形成し、第２の層２０の上に第１の層１０が積層するように形成することができる。
なお、第１の層１０の下方に第１の飲料Ａより比重が重い第２の飲料Ｂを供給して第２の層２０を形成する手段は、飲料の供給器具Ｋである。そして、飲料の供給器具Ｋは、前記したように、飲料を受け入れる本体Ｋ１と、該本体Ｋ１に連通し、前記飲料を案内する長手方向に長い案内通路Ｋ２とを備え、案内通路Ｋ２の先端が第１の層１０の下方に位置している（図３（ａ）（ｂ）参照）。
【００１５】
即ち、背景技術で記述したように、従来方法によれば、第１の飲料の層の上から第２の飲料を供給する場合、第２の飲料が細孔多孔板を通してゆっくりと供給されるが、本発明の飲料の積層形成方法（飲料の供給器具Ｋ）によれば、容器１に第１の飲料Ａを供給して第１の層１０を形成し、その後、第１の層１０の下方に第１の飲料Ａより比重が重い第２の飲料Ｂを供給して第２の層２０を形成するため、従来の方法に比べ、簡易且つ迅速に飲料Ａ、Ｂの積層状態を形成することができる。
【符号の説明】
【００１６】
Ａ      第１の飲料
Ｂ      第２の飲料
１      容器
１０    第１の層
２０    第２の層
【図１】
2017196117.tif 000003
【図２】
2017196117.tif 000004
【図３】
2017196117.tif 000005